(57)【要約】【課題】撮像対象物の被撮像面の正面に撮像部が配置される従来の撮像装置よりも、撮像部が邪魔にならずに保持面の対向空間を有効利用できる会議テーブルを提供する。【解決手段】保持面３５Ａ上に保持された撮像対象物Ｇ１を撮像部１４により撮像する会議テーブルにおいて、前記撮像部は、前記保持面上の前記撮像対象物と対向する対向領域の外側に配置され、前記保持面の法線方向に対して斜め方向から該保持面上の前記撮像対象物を撮像することを特徴とする。【選択図】図４
2019017063.tif 000002
【特許請求の範囲】
【請求項１】
保持面上に保持された撮像対象物を撮像部により撮像する会議テーブルにおいて、
前記撮像部は、前記保持面上の前記撮像対象物と対向する対向領域の外側に配置され、前記保持面の法線方向に対して斜め方向から該保持面上の前記撮像対象物を撮像することを特徴とする会議テーブル。
【請求項２】
請求項１に記載の会議テーブルにおいて、
前記撮像部の撮像によって得られる画像の情報を、前記保持面の法線方向から前記撮像対象物の表面を撮像した場合の画像の情報に補正する補正処理を含んだ画像処理を行う画像処理部を有することを特徴とする会議テーブル。
【請求項３】
請求項１又は２に記載の会議テーブルにおいて、
前記撮像部は、裏面が前記保持面に保持された前記撮像対象物の表面側を撮像手段で撮像するものであって、該撮像手段における光軸方向最前方の光学部品が前記保持面上の撮像対象物の表面側と対向する対向領域の境界近傍に位置するように配置されることを特徴とする会議テーブル。
【請求項４】
請求項１乃至３のいずれか１項に記載の会議テーブルにおいて、
前記撮像部は、裏面が前記保持面に保持された前記撮像対象物の表面側を撮像手段で撮像するものであって、該撮像手段における光軸方向が前記保持面の法線方向に対して傾斜するように構成されていることを特徴とする会議テーブル。
【請求項５】
請求項１乃至４のいずれか１項に記載の会議テーブルにおいて、
前記撮像部は、前記保持面上の前記撮像対象物を、広角レンズを備えた撮像手段で撮像するものであることを特徴とする会議テーブル。
【請求項６】
請求項１乃至５のいずれか１項に記載の会議テーブルにおいて、
前記撮像部は、前記保持面上の撮像対象物とともに、当該会議テーブルのユーザー作業位置に位置するユーザーの顔位置も一緒に撮像領域内に収めて撮像する撮像手段によって、該撮像対象物を撮像するものであることを特徴とする会議テーブル。
【請求項７】
請求項１乃至６のいずれか１項に記載の会議テーブルにおいて、
前記保持面を構成する保持面部材を有し、
前記撮像部は、前記保持面部材に設けられる支持部材によって支持されることを特徴とする会議テーブル。
【請求項８】
請求項７に記載の会議テーブルにおいて、
前記支持部材と前記保持面部材とは着脱自在に構成されていることを特徴とする会議テーブル。
【請求項９】
請求項７又は８に記載の会議テーブルにおいて、
前記保持面は、水平面に対して略平行な面であり、
前記支持部材は、前記保持面部材から略鉛直方向に延び、その先端部近傍で前記撮像部を支持することを特徴とする会議テーブル。
【請求項１０】
請求項９に記載の会議テーブルにおいて、
コンタクトガラス上に被読取面が対面するように読取対象物を載せて該読取対象物の被読取面の画像を読み取る画像読取部を有し、
前記保持面部材は、前記コンタクトガラスを支持するコンタクトガラス支持部材と該コンタクトガラスに対して開閉可能な開閉部材とから構成され、
前記保持面は、前記開閉部材の上面で構成され、
前記支持部材は、前記コンタクトガラス支持部材に設けられていることを特徴とする会議テーブル。
【請求項１１】
請求項７又は８に記載の会議テーブルにおいて、
前記保持面は、鉛直面に対して略平行な面であり、
前記支持部材は、前記保持面部材から略水平方向に延び、その先端部近傍で前記撮像部を支持することを特徴とする会議テーブル。
【請求項１２】
請求項１１に記載の会議テーブルにおいて、
前記支持部材の上面は、水平面に対して略平行で、前記撮像対象物を載置可能な載置面であることを特徴とする会議テーブル。
【請求項１３】
請求項７乃至１２のいずれか１項に記載の会議テーブルにおいて、
前記支持部材には、前記撮像部の撮像によって得られる画像を表示面に表示する表示部が設けられていることを特徴とする会議テーブル。
【請求項１４】
請求項１３に記載の会議テーブルにおいて、
前記表示面上におけるユーザーの操作位置を検出する操作位置検出手段を有することを特徴とする会議テーブル。
【請求項１５】
請求項１４に記載の会議テーブルにおいて、
前記表示部は、前記撮像部の撮像によって得られる画像が前記表示面に表示されているときの前記操作位置検出手段の検出結果に基づいて、該画像にユーザーが追記した追記画像を重畳させた重畳画像を、前記表示面に表示することを特徴とする会議テーブル。
【請求項１６】
請求項１乃至１５のいずれか１項に記載の会議テーブルにおいて、
前記撮像部によって得られる画像を記録材上に形成する画像形成部を有することを特徴とする会議テーブル。
【請求項１７】
請求項１乃至１６のいずれか１項に記載の会議テーブルと、前記保持面と略同一面となる面を備えた付属物品とが水平方向から互いに連結されることを特徴とする会議システム。
【発明の詳細な説明】
【技術分野】
【０００１】
本発明は、会議テーブル、及び会議システムに関するものである。
【背景技術】
【０００２】
保持面上に保持された撮像対象物を撮像部により撮像する撮像装置が知られている。
【０００３】
例えば、特許文献１には、フラットベッドプラテン（コンタクトガラス）に対して開閉する原稿押えカバーの上面に被撮像面を上向きにした原稿（撮像対象物）を載置し、その上向きの原稿の被撮像面を撮像部で撮影することで、上向きの原稿を撮像する原稿読取部を備えた画像形成装置が開示されている。撮像部は、原稿押えカバーの奥側のほぼ中央部に立設した支持バーの先端部に取り付けられており、支持バーの先端部は手前側に延出していて、原稿の中心位置の上に撮像部が位置するように構成されている。
【発明の概要】
【発明が解決しようとする課題】
【０００４】
ところが、原稿押えカバーの上面に保持された撮像対象物を撮像部により撮像する特許文献１の画像形成装置では、撮像対象物の被撮像面に対向して撮像部が配置される。そのため、撮像部が撮像対象物の被撮像面の正面の空間を有効利用することの妨げとなり、このような画像形成装置を会議テーブルとして用いる場合の利便性を損なう。
なお、この課題は、原稿押えカバーの上面が水平面に対して略平行な面である構成に限られない。撮像対象物を保持する保持面が鉛直面に対して略平行な面である構成においても、撮像対象物の被撮像面に対向して撮像部が配置されると、画像形成装置を会議テーブルとして利用する利用者の顔と保持面とが対向する領域を有効利用することの妨げとなり、同様の課題を生じる。
【課題を解決するための手段】
【０００５】
上述した課題を解決するために、保持面上に保持された撮像対象物を撮像部により撮像する会議テーブルにおいて、前記撮像部は、前記保持面上の前記撮像対象物と対向する対向領域の外側に配置され、前記保持面の法線方向に対して斜め方向から該保持面上の前記撮像対象物を撮像することを特徴とする。
【発明の効果】
【０００６】
本発明の会議テーブルによれば、撮像部が邪魔にならずに、保持面と対向する領域を有効利用することができる。
【図面の簡単な説明】
【０００７】
【図１】実施形態における画像形成装置の前面側から見た斜視図である。
【図２】同画像形成装置の後面側から見た斜視図である。
【図３】同画像形成装置の後面板を外してパネル部の内部構造を示した斜視図である。
【図４】同画像形成装置において上向き原稿を撮像する状態を示す斜視図である。
【図５】同画像形成装置の画像形成部の内部構成を示す構成図である。
【図６】同画像形成装置において下向き原稿を撮像する状態を示す斜視図である。
【図７】同画像形成装置の主要な制御に関するハードウェア構成を示すブロック図である。
【図８】同画像形成装置を用いた処理の一例を示すフローチャートである。
【図９】同画像形成装置のタッチパネルの表示面に表示されたホーム画面の例を示す説明図である。
【図１０】同表示面に表示されたホーム画面の「コピー」ボタンにタッチしてコピー機能を選択した時の撮像前における画面の例を示す説明図である。
【図１１】コピー機能選択時でのＡ４判横長の原稿を撮像したときの同表示面に表示された画面の例を示す説明図である。
【図１２】コピー機能選択時での原稿画像中に手書き画像を追記した画像の拡大表示の例を示す説明図である。
【図１３】変形例における画像形成装置の前面側から見た斜視図である。
【図１４】同画像形成装置におけるパネル部の上部前面に前向き原稿を保持させる原稿保持部の構成（使用状態）を示す斜視図である。
【図１５】同画像形成装置におけるパネル部の上部前面に前向き原稿を保持させる原稿保持部の構成（めくり時の状態）を示す斜視図である。
【図１６】部屋の壁面１００に前向き原稿を保持させて撮像する構成例を示す斜視図である。
【図１７】表示部及びカメラ部が設けられる表示部ユニットと、原稿保持部及びパネル部の前面一部分を含む原稿保持ユニットの取り付け位置を交換可能な構成例を示す斜視図である。
【図１８】同構成例において、同表示部ユニットや同原稿保持ユニットが固定される画像形成部のヒンジの構成を示す斜視図である。
【図１９】パネル部と画像形成部とが分離した状態を示す斜視図である。
【図２０】実施形態における画像形成装置の一使用例を示す斜視図である。
【図２１】実施形態における画像形成装置の他の使用例を示す斜視図である。
【図２２】変形例における画像形成装置の一使用例を示す斜視図である。
【図２３】パネル部から分離した表示部を示す斜視図である。
【発明を実施するための形態】
【０００８】
以下、本発明に係る会議テーブルを、画像形成装置を会議テーブルのテーブル部として適用した一実施形態について説明する。
図１は、本実施形態における画像形成装置の前面側から見た斜視図である。
図２は、本実施形態における画像形成装置の後面側から見た斜視図である。
図３は、本実施形態における画像形成装置の後面板を外してパネル部の内部構造を示した斜視図である。
【０００９】
本実施形態の会議テーブルのテーブル部となる画像形成装置１は、板状のパネル部１０と画像形成部２０とから構成され、パネル部１０の下部前面に画像形成部２０が取り付けられており、画像形成部２０の後面から上方に向けてパネル部１０の上部が延出するような構造となっている。パネル部１０は、図３に示すように、締結部１１Ａのネジによって画像形成部２０に締結されており、このネジを外すことによってパネル部１０と画像形成部２０とを分離することができる。
【００１０】
パネル部１０の上部前面には、表示部１２が設けられている。この表示部１２は、締結部１１Ｂのネジによってパネル部１０に締結されており、このネジを外すことによってパネル部１０から表示部１２を分離することができる。表示部１２は、装置前面側に、画像を表示するタッチパネル１３を備えている。このタッチパネル１３は、本画像形成装置１を操作する操作パネルとしても機能する。このタッチパネル１３の表示面は、その縦寸法及び横寸法のいずれか一方が、画像形成部２０で画像形成可能な最大用紙サイズの長辺の長さ以上であり、他方が最大用紙サイズの短辺の長さ以上である。本実施形態の画像形成装置１は、最大で、日本工業規格Ａ列３番（以下「Ａ３判」という。）の用紙Ｐに画像形成することができるので、画像形成部２０で画像形成可能な最大用紙サイズの長辺の長さは４２０ｍｍであり、その短辺の長さは２９７ｍｍである。これにより、本実施形態では、後述するように、Ａ３判の画像サイズ（実寸サイズ）と同じかそれ以上に拡大した画像をタッチパネル１３の表示面に表示可能となる。
【００１１】
また、パネル部１０の上部前面には、撮像部としてのカメラ部１４が配置されており、本実施形態のカメラ部１４は表示部１２に設けられ、締結部１１Ｂのネジを外すことによって表示部１２と一体でパネル部１０から分離することができる。カメラ部１４は、パネル部１０の上部前面上部に配置されており、パネル部１０の上部前面から装置前面側の撮像領域を撮像することができる。後述するように、ユーザーは、図４に示すように、画像形成部２０の上面（後述する下向き原稿スキャナ３０の原稿押えカバー３５の上面）によって構成される上向き原稿載置面３５Ａ（保持面）に、書類や書籍などの上向き原稿Ｇ１の被撮像面の裏面側が対面するように上向き原稿Ｇ１を載せ、その上向き原稿の上面（被撮像面）をカメラ部１４によって撮像して、上向き原稿の画像を読み取ることができる。カメラ部１４は、読み取った画像（撮像によって得られた上向き原稿の画像）の画像信号を、後述の制御部に出力する。制御部は、入力された画像信号に基づく画像情報を記憶部に保存する。なお、ここでいう撮像とは、上向き原稿の画像を取得できるものであればよく、例えば、上向き原稿を走査して上向き原稿の画像を取得するものを含む。
【００１２】
図５は、本実施形態の画像形成部２０の内部構成を示す構成図である。
画像形成部２０には、その略中央に画像形成処理部２１が配置され、この画像形成処理部２１の下方に給紙部２２が配置されている。また、画像形成処理部２１の上方には、排紙収納部２３を隔てて、コンタクトガラス３１上の下向き原稿Ｇ２の下面（被読取面）の画像を読み取る画像読取部としての下向き原稿スキャナ３０が配設されている。排紙収納部２３には、画像が形成された記録材としての用紙Ｐが排紙、収納される。なお、図５中矢印Ａで示すものは、用紙Ｐの通紙経路である。
【００１３】
画像形成処理部２１には、複数の作像部としての画像形成ユニット２５Ｙ，２５Ｍ，２５Ｃ，２５Ｋが中間転写ベルト２７に対向するように並設されている。また、画像形成ユニット２５Ｙ，２５Ｍ，２５Ｃ，２５Ｋの下側には、潜像形成手段としての露光装置２４が設置されている。これらの画像形成ユニット２５Ｙ，２５Ｍ，２５Ｃ，２５Ｋの符号に付された添え字Ｙ、Ｍ、Ｃ、Ｋはその符号が示す部材などが扱うトナーの色と対応している。以下、特にトナーの色を区別しないときには添え字を省略する場合がある。
【００１４】
画像形成ユニット２５には、ドラム状の感光体２６が設けられている。感光体２６の周囲には、感光体２６の表面を一様に帯電する帯電手段としての帯電装置、露光装置２４により感光体２６の表面に形成された潜像を現像する現像装置、現像装置により現像されて得られるトナー像を中間転写ベルト２７へ一次転写させる一次転写装置、一次転写後の感光体表面に残留する転写残トナー等を除去回収するクリーニング装置などが設けられている。
【００１５】
複数の感光体２６上の各トナー像を重ね合わせて一次転写された中間転写ベルト２７上のトナー像は、二次転写装置２８によって用紙Ｐに二次転写される。二次転写装置２８によりトナー像が転写された用紙Ｐは、定着装置２９に送られ、定着装置２９により用紙Ｐ上のトナーが定着処理される。定着装置２９で定着処理がなされた用紙Ｐは、排紙ローラを経て排紙収納部２３に排紙、収納される。
【００１６】
下向き原稿スキャナ３０では、コンタクトガラス３１上に載置される下向き原稿Ｇ２の画像読み取りを行うために、原稿照明用光源とミラーとを搭載した読取走行体３２がコンタクトガラス３１に沿って往復移動する。原稿からの反射光は、レンズ３３の後段に設置されているＣＣＤ３４により受光される。ＣＣＤ３４は、受光した光を画像信号に変換し、これを制御部に出力する。制御部は、入力された画像信号に基づく画像情報を記憶部に保存する。
【００１７】
下向き原稿スキャナ３０は、図６に示すように、コンタクトガラス３１に対して開閉可能な開閉部材としての原稿押えカバー３５が、コンタクトガラス３１を支持するスキャナ筐体３６（コンタクトガラス支持部材）の後面に設けられるヒンジ２０ａによって開閉可能に設けられている。コンタクトガラス３１上に載置される下向き原稿Ｇ２の画像を読み取る場合、図６に示すように、原稿押えカバー３５を開けて、下向き原稿Ｇ２の下面（被撮像面）がコンタクトガラス３１に対面するように下向き原稿Ｇ２をコンタクトガラス３１上に載せた後、原稿押えカバー３５を閉じる。
【００１８】
上述したカメラ部１４で読み取った上向き原稿Ｇ１の画像（撮像によって得られた上向き原稿Ｇ１の画像）や下向き原稿スキャナ３０で読み取った下向き原稿Ｇ２の画像を用紙Ｐに印刷する場合、制御部は、これらの読み取った画像の画像情報に基づいて露光装置２４の光源（レーザダイオード等）の駆動などを制御する。レーザーダイオードからの書込光は、ポリゴンミラーやレンズ等を介して各感光体２６の表面に至り、これにより各感光体２６の表面には当該画像情報に対応する静電潜像が形成される。これらの静電潜像が各現像装置によって現像されて得られるトナー像は、中間転写ベルト２７上に一次転写される。そして、中間転写ベルト２７上のトナー像は、二次転写装置２８によって用紙Ｐに二次転写され、定着装置２９での定着処理を経て、画像が形成された用紙Ｐが排紙収納部２３に排紙、収納される。
【００１９】
なお、本実施形態における作像方式は、電子写真方式を採用しているが、インクジェット方式などの他の作像方式であってもよい。
【００２０】
本実施形態の画像形成部２０の上面、すなわち、下向き原稿スキャナ３０の原稿押えカバー３５の上面は、ほぼ平坦な面である。したがって、原稿押えカバー３５の上面は、上向き原稿Ｇ１を保持する上向き原稿載置面３５Ａとしてだけでなく、会議テーブルの上面としても利用可能であり、画像形成装置１は、会議テーブルのテーブル部として利用できるのである。
【００２１】
また、本実施形態では、上向き原稿Ｇ１を撮像するカメラ部１４がパネル部１０の前面上部に配置され、閉じた状態における原稿押えカバー３５の上面（上向き原稿載置面）３５Ａの法線方向（略鉛直方向）に対して斜め方向から上向き原稿載置面３５Ａ上の上向き原稿Ｇ１の上面（被撮像面）を撮像する。このような構成により、上向き原稿Ｇ１の上面の上（正面）にカメラ部が配置される従来構成と比較して、カメラ部１４が邪魔にならずに原稿押えカバー３５の上面（上向き原稿載置面）３５Ａの上方空間（対向空間）を有効利用でき、ユーザーの利便性が向上する。
【００２２】
例えば、ユーザーが上向き原稿載置面３５Ａの上にメモ帳などを置いて筆記具でメモを書く作業などを行う場合でも、ユーザーはカメラ部１４の存在を気にせずに作業を行うことができる。そして、いつでも、このメモを原稿として、カメラ部１４によって撮像できる。また、例えば、ユーザーが上向き原稿載置面３５Ａの上にノート型ＰＣ（Personal Computer）を置いてキー入力などの作業を行う場合でも、ユーザーはカメラ部１４の存在を気にせずに作業を行うことができる。
【００２３】
特に、本実施形態では、カメラ部１４（より詳しくは、カメラ部１４における光軸方向最前方の光学部品）がパネル部１０の前面から装置前方へ突出しないように構成されている。一方、上向き原稿Ｇ１が載せられる上向き原稿載置面３５Ａは、パネル部１０の前面から装置前方へ延出するように配置されている。そのため、本実施形態のカメラ部１４は、上向き原稿載置面３５Ａに載せられる上向き原稿Ｇ１の上面と利用者の顔とが対向する対向領域の外側に配置されている。カメラ部１４は、当該上方領域の内側に入った位置に配置されていてもよいが、本実施形態のように当該上方領域の外側に配置することでカメラ部１４がより邪魔になりにくく、会議テーブルとしての利便性を向上させる。
【００２４】
また、本実施形態では、カメラ部１４（より詳しくは、カメラ部１４における光軸方向最前方の光学部品）が、上向き原稿載置面３５Ａに載せられる上向き原稿Ｇ１の上面と対向する上方領域（対向領域）の境界近傍（本実施形態では境界の僅かに外側の位置）に配置されている。このように、装置前後方向において、上向き原稿載置面３５Ａをカメラ部１４のなるべく近くに配置することで（装置前後方向の距離が短くなるように配置することで）、本画像形成装置１における装置前後方向の寸法をより小さくすることができる。よって、本画像形成装置１の前方スペースをより広く確保することが可能となる。
【００２５】
また、装置前後方向において上向き原稿載置面３５Ａをカメラ部１４のなるべく近くに配置することで、画像形成装置１の前方で各種作業を行うユーザーから、カメラ部１４が設けられているパネル部１０の前面までの距離が短くなる。特に、本実施形態では、画像形成装置１の前方にいるユーザーが腕を出してパネル部１０の前面に容易に届く距離となるようにしている。これにより、パネル部１０の前面に設けられているタッチパネル１３に対してユーザーは難なくタッチ操作を行うことができる。
【００２６】
また、本実施形態のように上向き原稿載置面３５Ａが装置前後方向においてカメラ部１４の近くに配置される構成においては、そのカメラ部１４の撮像領域内に上向き原稿載置面３５Ａ上の上向き原稿Ｇ１の全体が収まるようにする工夫が必要である。すなわち、パネル部１０の前面上部に配置されるカメラ部１４が、標準的なレンズをもち、その撮像方向（光軸方向）を装置前方に向けて水平方向へ向くような構成（すなわち、カメラ部１４の光軸方向が上向き原稿載置面３５Ａの法線方向（略鉛直方向）に対して直交するような構成）であると、装置前後方向においてカメラ部１４の近くに配置される上向き原稿載置面３５Ａ上の上向き原稿Ｇ１の全体を撮像領域内に収めることはできない。
【００２７】
そこで、本実施形態では、カメラ部１４の撮像方向（光軸方向）が装置前方に向けて斜め下方へ向くような構成（すなわち、カメラ部１４の光軸方向が上向き原稿載置面３５Ａの法線方向（略鉛直方向）に対して傾斜するような構成）とし、装置前後方向においてカメラ部１４の近くに配置される上向き原稿載置面３５Ａ上の上向き原稿Ｇ１の全体がカメラ部１４の撮像領域内に収まるようにしている。
【００２８】
また、本実施形態では、カメラ部１４を上向き原稿Ｇ１を撮像する以外の用途にも利用するため、より広い撮像領域を得るために、標準的なレンズよりも画角が広い広角レンズを備えたカメラ部を採用している。ここでいう広角レンズは、焦点距離が３５ｍｍよりも短いレンズである。本実施形態では、カメラ部１４により本画像形成装置１のユーザーの顔を撮像する機能を実現するため、上向き原稿載置面３５Ａ上の上向き原稿Ｇ１とともに、本画像形成装置１のユーザー作業位置（装置前方位置）に位置するユーザーの顔位置も一緒にカメラ部１４の撮像領域内に収まるように構成される。そのためには、焦点距離が２４ｍｍよりも短い超広角レンズを用いるのが好ましい。カメラ部１４により本画像形成装置１のユーザーの顔を撮像する機能を実現することで、本画像形成装置１のユーザー認証を実施したり、本画像形成装置１を利用してテレビ会議（テレビ電話）を実施したりすることも可能となる。
【００２９】
また、原稿押えカバー３５は、パネル部１０とは独立して開閉可能な構造であるため、原稿押えカバー３５を開いても、パネル部１０が後方に倒れるような構造とはなっていない。そのため、本画像形成装置１をその後面が後方の壁面に密着させるように設置する必要がなく、本画像形成装置１の前後方向における設置面積（占有面積）の大型化を抑制でき、本画像形成装置１の前方スペースを広く確保することが可能である。
【００３０】
図７は、本実施形態における画像形成装置１の主要な制御に関するハードウェア構成を示すブロック図である。
本実施形態の画像形成装置１は、上述したように、タッチパネル１３及びカメラ部１４を備えた表示部１２、画像形成部２０のほか、ＣＰＵ（Central Processing Unit）７０１、ＲＯＭ（Read Only Memory）７０２、ＲＡＭ（Random Access Memory）７０３、ＨＤＤ（Hard Disc Drive）７０４、ＨＤＣ（Hard Disk Controller）７０５、外部インターフェース（Ｉ／Ｆ）７０８、ＧＰＵ(Graphics Processing Unit)７１２が、拡張バスライン７２０で接続された制御部を備えている。
【００３１】
ＣＰＵ７０１は、画像形成装置１の全体動作を制御する。ＲＯＭ７０２は、ＣＰＵ７０１の処理動作に用いられるプログラムを記憶している。ＲＡＭ７０３は、ＣＰＵ７０１のワークエリアとして使用される。ＨＤＤ７０４は、プログラムや各種データを記憶している。ＨＤＣ７０５は、ＣＰＵ７０１の制御に従ってＨＤＤ７０４に対する各種データの読み出し又は書き込みを制御する。Ｉ／Ｆ７０８は、有線あるいは無線の通信ネットワークを介して外部機器との間でデータの送受信を行う。ＧＰＵ７１２には、ＧＰＵ７１２の駆動に用いられるプログラムを記憶したＲＯＭ７１３、ＧＰＵ７１２のワークエリアとして使用されるＲＡＭ７１４が接続されており、各種画像処理を実行する。拡張バスライン７２０は、上記各構成要素を電気的に接続するためのアドレスバスやデータバス等を備える。
【００３２】
タッチパネル１３は、ユーザーが指やスタイラスなどの検知対象物が表示面上に接触又は近接した位置を検知することができる。その検知方式には、特に制限はなく、公知のものを広く利用することができる。タッチパネル１３が検知した検知対象物の位置（タッチ位置）や、タッチ位置の時間変化（動き）等に応じて、ＣＰＵ７０１は、タッチパネル１３の表示面に表示される画像の表示制御等を実行する。例えば、タッチパネル１３の表示面上のタッチ位置に画像を表示して、その軌跡によって描かれる文字や図形等を表示面上に表示させる表示制御を行う。また、例えば、タッチパネル１３の表示面上のタッチ位置や動きに応じて、表示面上に表示されている画像の移動、回転、切り替え、拡大や縮小などの表示制御を行う。
【００３３】
ＧＰＵ７１２は、例えば、カメラ部１４が撮像して読み込んだ上向き原稿Ｇ１の画像データから、上向き原稿Ｇ１以外の画像部分（背景やユーザーの指など）を除去したり、歪みを補正したりするなどの画像処理を実行する。特に、本実施形態において、カメラ部１４は、上向き原稿載置面３５Ａの法線方向（略鉛直方向）に対して斜め方向から、上向き原稿載置面３５Ａ上の上向き原稿Ｇ１の上面（被撮像面）を撮像するので、カメラ部１４の撮像によって得られる上向き原稿Ｇ１の画像は、上向き原稿Ｇ１の上面（被撮像面）を上（正面）から撮像したものとはならない。そのため、ＧＰＵ７１２は、カメラ部１４で撮像した上向き原稿Ｇ１の画像データに対し、上向き原稿載置面３５Ａの法線方向から当該上向き原稿Ｇ１の上面（被撮像面）を撮像したときの画像となるように歪み補正処理を実施する。
【００３４】
また、ＧＰＵ７１２は、タッチパネル１３が検知したタッチ位置の座標データに基づいて、追記された画像（手書き画像）を生成する画像処理なども行い、タッチパネル１３の表示面に既に表示されている画像に、手書き画像を重畳して表示させる表示制御を実行する。
【００３５】
カメラ部１４は、上向き原稿Ｇ１を撮像するだけでなく、ユーザーの顔や景色などの静止画や動画を撮ることができる。また、Ｉ／Ｆ７０８を通じて接続された外部機器（モバイル端末等）、あるいは、可搬型記録媒体などからも、画像データを読み込んで、タッチパネル１３に表示させ、また、画像形成部２０により用紙Ｐに印刷することができる。また、タッチパネル１３の表示面は、ホワイトボード用のインクペン等によりインクで画像を書き込むこともできるように、その表示面はガラスなどのインクを消去しやすい材質であるのが好ましい。なお、本画像形成装置１をホワイトボードとして利用する際には、タッチパネル１３の表示面に白色無地画像を表示させるなどして、インクペン等によるインク画像の視認性を高めるようにするのが好ましい。
【００３６】
図８は、画像形成装置１を用いた処理の一例を示すフローチャートである。
図９〜図１２は、タッチパネル１３に表示される各種画面例を示す説明図である。
本画像形成装置１を起動させると、タッチパネル１３の表示面には、まず、図９に示すようなホーム画面が表示される。ここで、コピー機能を選択するボタン画像にタッチし、その後の表示される選択画面で下向き原稿と上向き原稿のうちの上向き原稿を読み取ることを選択すると（Ｓ１）、タッチパネル１３の表示が図１０に示すようなコピー画面に遷移するとともに、カメラ部１４が起動する。このコピー画面には、カメラ部１４の撮像によって得られる画像（上向き原稿載置面３５Ａやユーザーの上半身（顔位置を含む）を含む画像）のうち、ＧＰＵ７１２により上向き原稿載置面３５Ａの撮像画像部分だけが抽出された画像が、表示される。したがって、ユーザーは、コピー画面を見ることで、上向き原稿載置面３５Ａに載せられた上向き原稿Ｇ１の画像を確認することができる。そして、ユーザーが図１０に示すコピー画面の「読み取る」ボタンにタッチすると、カメラ部１４は所定の設定時間（例えば２秒）が経過した後に、撮像動作を実行する（Ｓ２）。
【００３７】
このようにして撮像によって得られた撮像画像データは、ＧＰＵ７１２により、上向き原稿Ｇ１以外の画像部分（背景やユーザーの指など）を除去したり歪み補正処理を行ったりする画像処理が施される（Ｓ３）。このような画像処理後のデータが上向き原稿Ｇ１の画像データとして読み取られ、その画像データは、ＧＰＵ７１２によりタッチパネル１３の表示面に表示される（Ｓ４）。このとき、タッチパネル１３の表示面には、上向き原稿載置面３５Ａに載せられた上向き原稿Ｇ１が印刷される用紙上での画像のサイズと同じサイズ（実寸サイズ）で上向き原稿Ｇ１の画像が表示されるように表示制御がなされるようにしてもよい。あるいは、タッチパネル１３の表示面に表示可能な最大サイズまで拡大して上向き原稿Ｇ１の画像を表示するようにしてもよい。
【００３８】
なお、図１１に示すように、コピー画面上の「読み直す」ボタンにタッチすれば、再度、原稿の読み取り（カメラ部１４による撮像）を行うことができる。
また、上向き原稿Ｇ１が印刷される用紙のサイズは、上向き原稿Ｇ１の用紙サイズと同じであってもよいが、例えば、コピー機能を選択するボタン画像にタッチした後に（Ｓ１）、印刷する用紙サイズをユーザーに設定させるようにしてもよい。
【００３９】
ユーザーは、タッチパネル１３の表示面に表示された原稿画像を印刷する場合、図１１に示すコピー画面上の「１枚印刷」ボタンにタッチする（Ｓ５のＮｏ、Ｓ９のＹｅｓ）。これにより、タッチパネル１３の表示面に表示されている原稿画像（印刷対象画像）を、用紙Ｐ上に印刷後の画像サイズと同じサイズ（実寸サイズ）で、タッチパネル１３の表示面にプレビュー表示する（Ｓ１０）。このプレビュー表示では、図１１に示す例においては、Ａ４判の横長の用紙Ｐ上に形成される印刷対象画像が、実寸サイズで、タッチパネル１３の表示面にプレビュー表示される。なお、本実施形態では、例えば、Ａ４判の縦長の用紙Ｐ上に形成される印刷対象画像も、実寸サイズで、タッチパネル１３の表示面にプレビュー表示させることができる。
【００４０】
そして、タッチパネル１３にプレビュー表示された実寸サイズのプレビュー画像（用紙Ｐに印刷された後の想定画像）を確認した後、ユーザーは印刷を実行する指示操作を行う（Ｓ１１）。これにより、印刷対象画像の画像データが画像形成部２０に送られ、画像形成部２０において、Ａ４判の用紙Ｐに当該画像データに基づく画像が印刷され（Ｓ１２）、その用紙Ｐが排紙収納部２３へ排紙され、コピーが完了する。
【００４１】
なお、図１１に示すコピー画面上の「印刷設定」ボタンにタッチすることで、印刷用紙サイズ、印刷対象画像の倍率、印刷枚数の変更などの印刷設定を適宜変更することが可能である。この印刷設定で印刷用紙サイズが変更されたり、印刷対象画像の倍率が変更されたりして、実寸サイズが変更された場合、変更後の実寸サイズで、タッチパネル１３の表示面にプレビュー表示がなされる。
【００４２】
また、本実施形態において、ユーザーは、タッチパネル１３の表示面に表示された原稿画像に、手書き画像を追記したものを印刷することもできる。この場合、ユーザーは、図１１に示すコピー画面上の「追記する」ボタンにタッチする（Ｓ５のＹｅｓ）。このとき、画像へ追記しやすいように、実寸サイズで表示されていた原稿画像を拡大表示させるのが好ましい。
【００４３】
タッチパネル１３に表示されている原稿画像上を、ユーザーが指等でタッチすると、タッチパネル１３が検知したタッチ位置を検知し、その座標データが記録されていく（Ｓ６）。そして、その座標データに基づいて、追記された画像（手書き画像）が生成され、図１２に示すように、タッチパネル１３の表示面に既に表示されている画像に当該手書き画像を重畳して表示させる表示制御が実行される（Ｓ７）。本実施形態では、追記時には、原稿画像を拡大表示されるので、実寸サイズでは追記しにくい細線や小さい文字なども原稿画像中に追記しやすい。
【００４４】
また、ユーザーは、必要に応じて、画面上の「実寸で表示」ボタンをタッチすることにより、追記した手書き画像が重畳された状態の原稿画像を実寸サイズで表示させ、追記後の画像を実寸で確認することができる。これにより、追記した手書き画像が小さすぎて視認しにくいかどうかを確認でき、もし視認しにくい場合には、画面上の「拡大表示」ボタンをタッチして、再び、手書き画像が重畳した原稿画像を拡大表示させて、その手書き画像を消去する操作を行った後、新たに追記し直すことができる。
【００４５】
ユーザーは、このようにして原稿画像に手書き画像を追記した後の画像を印刷する場合、画面上の「１枚印刷」ボタンにタッチする（Ｓ８のＹｅｓ、Ｓ９のＹｅｓ）。これにより、タッチパネル１３の表示面に表示されている追記後の画像（印刷対象画像）を、用紙Ｐ上に印刷後の画像サイズと同じサイズ（実寸サイズ）で、タッチパネル１３の表示面にプレビュー表示する（Ｓ１０）。そして、タッチパネル１３にプレビュー表示された実寸サイズのプレビュー画像を確認した後、ユーザーが印刷を実行する指示操作を行うことにより（Ｓ１１）、印刷対象画像の画像データが画像形成部２０に送られる。その結果、画像形成部２０において、Ａ４判の用紙Ｐに当該画像データに基づく画像が印刷され（Ｓ１２）、追記後の画像が印刷された用紙Ｐが排紙収納部２３へ排紙される。
【００４６】
ここでは、コピー機能を実行する例で説明したが、スキャナ機能やファックス機能において上向き原稿Ｇ１を読み取る処理動作（撮像する処理動作）については、上述したコピー機能における上向き原稿Ｇ１を読み取る処理動作（撮像する処理動作）と同様である。読み取った画像（撮像によって得られた画像）や追記後の画像は、印刷せずに、可搬型記録媒体にデータ保存したり、通信ネットワークを介して外部機器へ送信したりすることもできる。また、下向き原稿スキャナ３０により下向き原稿Ｇ２を読み取った画像についても、上述した上向き原稿Ｇ１と同様に取り扱うことができる。
【００４７】
また、本実施形態において、上向き原稿載置面３５Ａをホワイトボードとして利用できるように構成してもよい。この場合、上向き原稿載置面３５Ａはインクを消去しやすい材質とする。上向き原稿載置面３５Ａ上にインクペンで手書きしたものは、上向き原稿Ｇ１と同様に、カメラ部１４で撮像し、その画像データを画像形成装置１に送信することで、タッチパネル１３の表示面で実寸サイズによるプレビュー表示、印刷が可能である。
【００４８】
また、本実施形態において、ユーザーが遠隔会議機能を選択する指示操作を行うことで、カメラ部１４やマイク部及びスピーカ部を使って、通信ネットワークを介して他の拠点と遠隔会議（テレビ会議）を実現することもできる。この場合、タッチパネル１３に表示した原稿画像やこれに手書き画像を追記した画像などを、通信ネットワークを介して共有することもできる。
【００４９】
また、本実施形態においては、表示部１２の下側に、表示部１２よりも重い画像形成部２０が配置されている。このような配置により、画像形成装置１の全体の重心位置が低くなり、画像形成装置１の転倒を抑制できる。
【００５０】
〔変形例〕
次に、本実施形態における会議テーブルの一変形例について説明する。
上述した実施形態の画像形成装置１は、画像形成部２０の上面（下向き原稿スキャナ３０の原稿押えカバー３５の上面）である上向き原稿載置面３５Ａに載せた上向き原稿Ｇ１を、パネル部１０の前面上部に配置されるカメラ部１４によって斜め上方から撮像して、上向き原稿Ｇ１を撮像するものであった。一方、本変形例のテーブル部である画像形成装置１は、鉛直面に略平行な原稿保持面１０Ａに保持させた前向き原稿Ｇ３を、画像形成部２０の上面前部に配置されるカメラ部１４によって斜め下方から撮像して、前向き原稿Ｇ３を撮像するものである。なお、その他の構成や動作については、上述した実施形態と同様であるため、本変形例での説明は、上述した実施形態と相違する点を中心に説明する。
【００５１】
図１３は、本変形例におけるテーブル部である画像形成装置の前面側から見た斜視図である。
本変形例の画像形成装置１は、上述した実施形態と同様、板状のパネル部１０と画像形成部２０とから構成され、パネル部１０の下部前面に画像形成部２０が取り付けられており、画像形成部２０の後面から上方に向けてパネル部１０の上部が延出するような構造となっている。
【００５２】
本変形例において、パネル部１０の上部前面には、原稿保持部１５が設けられている。この原稿保持部１５は、スケッチブックやクロッキーブックをフリップチャートのように吊り下げて手書きのメモ用紙束１６として使うための部品である。本変形例の原稿保持部１５は、図１４に示すように、壁面固定部１５ａと、前後可動部１５ｂと、原稿取付部１５ｃとから構成されている。
【００５３】
スケッチブックやクロッキーブック等のメモ用紙束１６は、複数のメモ用紙を束ねている螺旋リング１６ａ内に棒状の原稿取付部１５ｃを通し、その原稿取付部１５ｃの両端を前後可動部１５ｂへ取り付けることにより吊り下げられ、パネル部１０の上部前面上に保持される。メモ用紙束１６のメモ用紙を使いきった場合には交換することもできる。
【００５４】
メモ用紙束１６のメモ用紙にユーザーがペン等で手書きする際、メモ用紙束１６とこれを保持するパネル部１０の上部前面との間には隙間がない方が手書きしやすいので、本変形例では、図１４に示すように、使用状態では、メモ用紙束１６とパネル部１０の上部前面との間の隙間が少なくなるような構成である。一方、メモ用紙束１６とパネル部１０の上部前面との間の隙間が少ないと、使用したメモ用紙（メモ用紙束１６の最前面に位置するメモ用紙）をメモ用紙束１６の最背面にめくるときの作業が行いにくい。
【００５５】
そのため、本変形例では、図１５に示すように、原稿保持部１５をパネル部１０に固定している壁面固定部１５ａに対し、メモ用紙束１６が吊り下げられている原稿取付部１５ｃを支持する前後可動部１５ｂが前方へスライド可能に構成されている。ユーザーは、使用したメモ用紙をメモ用紙束１６の背面へめくる際、図１５に示すように、前後可動部１５ｂを前方へスライドさせることで、メモ用紙束１６とパネル部１０の上部前面との間の隙間が拡がり、めくり作業が行いやすくなる。前後可動部１５ｂのスライド移動には、プッシュラッチ機構を採用してもよい。この場合、図１４に示す使用状態において、前後可動部１５ｂを軽く押し込むとロック解除されて、図１５に示すように、バネの付勢力により前後可動部１５ｂが前方へ所定量だけスライドした状態で支持される。図１４に示す使用状態に戻す際には、前後可動部１５ｂをバネの付勢力に抗して後方へ押し込むことでロックされ、前後可動部１５ｂは使用状態に維持される。なお、前向き原稿Ｇ３をクリップで挟み込んでパネル部１０の前面（保持面）上に保持するなど、他の保持方式を採用してもよい。
【００５６】
本変形例において、表示部１２は、画像形成部２０の上部に配置されている。本変形例の表示部１２は、画像形成部２０における下向き原稿スキャナ３０の原稿押えカバー３５に設けられており、上面にタッチパネル１３を備える。このタッチパネル１３の表示面は、上述した実施形態と同様のサイズである。
【００５７】
また、本変形例において、カメラ部１４は、画像形成部２０の上面に配置されており、上述した実施形態と同様、表示部１２と一体構成となっている。カメラ部１４は、画像形成部２０の上面前部に配置されており、パネル部１０の上部前面の撮像領域に含むように撮像することができる。ユーザーは、パネル部１０の上部前面（保持面）に前向き原稿Ｇ３の裏面側が対面するように前向き原稿Ｇ３を保持させ、その前向き原稿Ｇ３の前面（被撮像面）をカメラ部１４によって撮像することにより、前向き原稿Ｇ３の画像を読み取ることができる。カメラ部１４の撮像によって得られた画像の画像信号は、上述した実施形態と同様、制御部に出力される。
【００５８】
また、本変形例においても、パネル部１０の前面である原稿保持面１０Ａが鉛直方向においてカメラ部１４の近くに配置される構成であるため、上述した実施形態と同様、そのカメラ部１４の撮像領域内にパネル部１０の原稿保持面１０Ａ上の前向き原稿ＧＧの全体が収まるようにする工夫がなされる。
【００５９】
なお、本変形例の画像形成装置１においては、画像形成部２０の背面に取り付けられたパネル部１０の原稿保持面１０Ａを前向き原稿Ｇ３の保持面とする構成であるが、図１６に示すように、画像形成装置１が設置される部屋の壁面１００を前向き原稿Ｇ３の保持面とする構成であってもよい。この場合、前向き原稿Ｇ３を保持する原稿保持部１５を、画像形成装置１の背面の壁面１００上に取り付ける。このような構成においては、パネル部１０を省略できるので、部品コストの削減を実現できるとともに、画像形成装置１の前後方向寸法を小さくできることから画像形成装置１の前方スペースをより広く確保することが可能となる。
【００６０】
また、本変形例において、カメラ部１４が一体構成されている表示部１２を、画像形成部２０に対して着脱自在にするとともに、原稿保持部１５及びパネル部１０の原稿保持面１０Ａを含む原稿保持ユニットをパネル部１０に対して着脱自在にし、表示部１２と原稿保持ユニットの取り付け位置を交換できる構成としてもよい。
【００６１】
例えば、図１７に示すように、表示部１２が設けられる原稿押えカバー３５を表示部ユニット２００Ａとし、これを画像形成部２０に対して着脱自在に構成する。一方、原稿保持部１５及びパネル部１０の原稿保持面１０Ａを含む原稿保持ユニット２００Ｂを、表示部ユニット２００Ａと互換性のある寸法とし、これをパネル部１０に対して着脱自在に構成する。そして、画像形成部２０から表示部ユニット２００Ａを取り外した場所に原稿保持ユニット２００Ｂを取り付け、パネル部１０から原稿保持ユニット２００Ｂを取り外した場所に表示部ユニット２００Ａを取り付ける。このとき、原稿保持ユニット２００Ｂは、原稿押えカバー３５として機能することになる。
【００６２】
この構成において、画像形成部２０への表示部ユニット２００Ａや原稿保持ユニット２００Ｂの取り付けは、図１８に示すように、表示部ユニット２００Ａや原稿保持ユニット２００Ｂの固定部を画像形成部２０のヒンジ２０ａに固定する。また、画像形成装置１の制御部に接続される信号線や給電ケーブルなどの配線接続部２０ｂは、図１８に示すように、画像形成部２０のヒンジ２０ａの近傍に設置され、表示部ユニット２００Ａや原稿保持ユニット２００Ｂが画像形成部２０に取り付けたときに、表示部ユニット２００Ａや原稿保持ユニット２００Ｂのコネクタに接続される。また、パネル部１０にも同様の配線接続部２０ｂが設けられており、表示部ユニット２００Ａや原稿保持ユニット２００Ｂがパネル部１０に取り付けたときに、表示部ユニット２００Ａや原稿保持ユニット２００Ｂのコネクタに接続される。
【００６３】
なお、原稿保持ユニット２００Ｂを画像形成部２０に取り付ける使用態様（図１に示すような使用態様）では、原稿保持部１５が不要であるため、原稿保持部１５を原稿保持ユニット２００Ｂから取り外すか、原稿保持ユニット２００Ｂの上面（パネル部１０の原稿保持面１０Ａだった面）から原稿保持部１５が突出しないようにするのが好ましい。
【００６４】
このように交換できる構成とすることで、図１に示したように表示部１２の表示面が鉛直面に略平行な使用態様（画像形成部２０の上面に上向き原稿Ｇ１を載せて撮像する使用態様）と、図１３に示したように表示部１２の表示面が水平面に略平行な使用態様（パネル部１０の前面に前向き原稿Ｇ３を保持させて撮像する使用態様）とを、ユーザーの希望に合わせて切り替えることができる。
【００６５】
次に、上述した実施形態や変形例における画像形成装置１の各種使用例について説明する。
本実施形態の画像形成装置１は、上述したように、締結部１１Ａのネジを外すことによって、図１９に示すように、パネル部１０と画像形成部２０とを分離することができる。変形例の画像形成装置１も同様である。パネル部１０と画像形成部２０とが分離していても、両者間の通信手段は無線や有線によって確保できる。よって、パネル部１０と画像形成部２０と分離した状態で使用することができる。
【００６６】
図２０は、上述した実施形態における画像形成装置１の一使用例を示す斜視図である。
この使用例は、図２０中の左側の装置と右側の装置とが水平方向から互いに連結された撮像システムをもつ会議システムである。図２０の左側に位置する装置は、上述した実施形態における画像形成装置１の画像形成部２０の背面に、パネル部１０ではなく、パネル部１０と同サイズのパーティションパネル４２を取り付けた画像形成装置である。一方、図２０の右側に位置する装置は、上述した実施形態における画像形成装置１のパネル部１０を、画像形成部２０ではなく、画像形成部２０と同サイズのキャビネット４１に取り付けた会議テーブルである。この会議テーブルでは、キャビネット４１の上面が上向き原稿Ｇ１を載せる保持面となる。このシステムでは、図中左側の画像形成装置における画像形成部２０の上面と、図中右側の会議テーブルにおけるキャビネット４１の上面とが略同一面となるように構成されている。
【００６７】
図２１は、上述した実施形態における画像形成装置１の他の使用例を示す斜視図である。
この使用例は、図２０に示した使用例における図２０中の左側の装置と図２０中の右側の装置との間に、画像形成部２０と同サイズのキャビネット４１の背面にパネル部１０と同サイズのパーティションパネル４２を取り付けたパーティションを配置した会議システムである。
【００６８】
図２２は、上述した変形例における画像形成装置１の一使用例を示す斜視図である。
この使用例は、図２２中の左側の装置と右側の装置とが水平方向から互いに連結された会議システムであり、図２２の左側に位置する装置は、図２０に示した使用例の図中左側の装置と同じ画像形成装置である。一方、図２２の右側に位置する装置は、上述した変形例における画像形成装置１の画像形成部２０の上部に設けられていた表示部１２（カメラ部１４を含む）が、画像形成部２０ではなく、画像形成部２０と同サイズのキャビネット４１に取り付けられた会議テーブルである。この会議テーブルでは、キャビネット４１の上部に取り付けられた表示部１２のカメラ部１４により、パネル部１０の原稿保持面１０Ａに保持された前向き原稿Ｇ３を撮像することで、前向き原稿Ｇ３の画像を取得することが可能である。このシステムでは、図中左側の画像形成装置における画像形成部２０の上面と、図中右側の会議テーブルにおける表示部１２の上面とが略同一面となるように構成されている。
【００６９】
図２０〜図２２に示した使用例であれば、カメラ部１４を用いて上向き原稿Ｇ１又は前向き原稿Ｇ３の読み取り作業を行っている間でも、画像形成部２０の下向き原稿スキャナ３０で下向き原稿Ｇ２の読み取り作業を並行して行うことができる。
【００７０】
また、１つの表示部１２で、複数の画像形成部２０や複数のカメラ部１４を制御できるように構成してもよい。
【００７１】
また、本実施形態の画像形成装置１は、上述したように、締結部１１Ｂのネジを外すことによって、図２３に示すように、パネル部１０から表示部１２を分離することができる。変形例の画像形成装置１も同様である。このように分離させた表示部１２単体を机の上や部屋の壁面に設置して使用することも可能である。例えば、図２３に示す表示部１２単体を机の上に置き、部屋の壁面に前向き原稿を保持させることで、図１６に示したような使用態様で、前向き原稿の読み取りが可能である。
【００７２】
以上に説明したものは一例であり、次の態様毎に特有の効果を奏する。
（態様Ａ）
上向き原稿載置面３５Ａや原稿保持面１０Ａや壁面１００等の保持面上に保持された上向き原稿Ｇ１や前向き原稿Ｇ３等の撮像対象物をカメラ部１４等の撮像部により撮像する会議テーブルにおいて、前記撮像部は、前記保持面上の前記撮像対象物と対向する対向領域の外側に配置され、前記保持面の法線方向に対して斜め方向から該保持面上の前記撮像対象物を撮像することを特徴とする。
本態様によれば、撮像対象物の被撮像面の正面に撮像部が配置される従来の撮像装置よりも、撮像部が邪魔にならずに、保持面の対向空間を有効利用することができる。
【００７３】
（態様Ｂ）
前記態様Ａにおいて、前記撮像部の撮像によって得られる画像の情報を、前記保持面の法線方向から前記撮像対象物の表面を撮像した場合の画像の情報に補正する歪み補正処理等の補正処理を含んだ画像処理を行うＧＰＵ７１２等の画像処理部を有することを特徴とする。
本態様によれば、撮像部が邪魔にならずに保持面の対向空間を有効利用しつつも、保持面の法線方向から撮像対象物の表面を撮像した場合の画像を得ることができる。
【００７４】
（態様Ｃ）
前記態様Ａ又はＢにおいて、前記撮像部は、裏面が前記保持面に保持された前記撮像対象物の表面側をカメラ部１４等の撮像手段で撮像するものであって、該撮像手段における光軸方向最前方の光学部品が前記保持面上の撮像対象物の表面側と対向する対向領域の境界近傍に位置するように配置されることを特徴とする。
これによれば、撮像部が邪魔にならずに保持面の対向空間を有効利用しつつも、会議テーブルの小型化を実現できる。
【００７５】
（態様Ｄ）
前記態様Ａ〜Ｃのいずれかの態様において、前記撮像部は、裏面が前記保持面に保持された前記撮像対象物の表面側をカメラ部１４等の撮像手段で撮像するものであって、該撮像手段における光軸方向が前記保持面の法線方向に対して傾斜するように構成されていることを特徴とする。
これによれば、撮像手段における光軸方向最前方の光学部品が保持面の近くに配置した場合でも、その撮像手段の撮像領域内に保持面上の撮像対象物の被撮像面全体が収まるようにすることができる。
【００７６】
（態様Ｅ）
前記態様Ａ〜Ｄのいずれかの態様において、前記撮像部は、前記保持面上の前記撮像対象物を、広角レンズを備えたカメラ部１４等の撮像手段で撮像するものであることを特徴とする。
これによれば、撮像手段における光軸方向最前方の光学部品が保持面の近くに配置した場合でも、その撮像手段の撮像領域内に保持面上の撮像対象物の被撮像面全体が収まるようにすることができる。
【００７７】
（態様Ｆ）
前記態様Ａ〜Ｅのいずれかの態様において、前記撮像部は、前記保持面上の撮像対象物とともに、当該会議テーブルのユーザー作業位置に位置するユーザーの顔位置も一緒に撮像領域内に収めて撮像するカメラ部１４等の撮像手段によって、該撮像対象物を撮像するものであることを特徴とする。
これによれば、撮像対象物の被撮像面の画像取得に用いる撮像手段を用いて、ユーザー認証を実施したり遠隔会議（テレビ会議）を実施したりするなど、多様なサービスを提供できる。
【００７８】
（態様Ｇ）
前記態様Ａ〜Ｆのいずれかの態様において、前記保持面を構成する画像形成部２０やパネル部１０等の保持面部材を有し、前記撮像部は、前記保持面部材に設けられるパネル部１０や画像形成部２０等の支持部材によって支持されることを特徴とする。
これによれば、撮像部と保持面との位置関係を決めやすく、本会議テーブルの設置が容易となる。
【００７９】
（態様Ｈ）
前記態様Ｇにおいて、前記支持部材と前記保持面部材とは着脱自在に構成されていることを特徴とする。
これによれば、種々の使用例に対応するのが容易となる。
【００８０】
（態様Ｉ）
前記態様Ｇ又はＨにおいて、前記保持面は、水平面に対して略平行な面であり、前記支持部材は、前記保持面部材から略鉛直方向に延び、その先端部近傍で前記撮像部を支持することを特徴とする。
これによれば、上述した実施形態のように、保持面上に載せた上向き原稿を撮像することができる。
【００８１】
（態様Ｊ）
前記態様Ｉにおいて、コンタクトガラス３１上に被読取面が対面するように下向き原稿Ｇ２等の読取対象物を載せて該読取対象物の被読取面の画像を読み取る下向き原稿スキャナ３０等の画像読取部を有し、前記保持面部材は、前記コンタクトガラスを支持するスキャナ筐体３６等のコンタクトガラス支持部材と該コンタクトガラスに対して開閉可能な原稿押えカバー３５等の開閉部材とから構成され、前記保持面は、前記開閉部材の上面（上向き原稿載置面３５Ａ）で構成され、前記支持部材は、前記コンタクトガラス支持部材に設けられていることを特徴とする。
これによれば、開閉部材を開いても支持部材がこれに連動して動くことがなく、本会議テーブルの占有スペースを広く確保しやすい。
【００８２】
（態様Ｋ）
前記態様Ｉ又はＪにおいて、前記保持面は、鉛直面に対して略平行な面であり、前記支持部材は、前記保持面部材から略水平方向に延び、その先端部近傍で前記撮像部を支持することを特徴とする。
これによれば、上述した変形例のように、保持面上に保持させた前向き原稿を撮像することができる。
【００８３】
（態様Ｌ）
前記態様Ｋにおいて、前記支持部材の上面は、水平面に対して略平行で、前記撮像対象物を載置可能な載置面であることを特徴とする。
これによれば、支持部材の上面に撮像対象物を載せて作業するなど、支持部材の上面を有効活用することができる。
【００８４】
（態様Ｍ）
前記態様Ｇ〜Ｌのいずれかの態様において、前記支持部材には、前記撮像部の撮像によって得られる画像を表示面に表示する表示部１２が設けられていることを特徴とする。
これによれば、撮像部を支持する支持部材を用いて表示部を支持でき、表示部を設ける場合でも装置の大型化を抑制できる。
【００８５】
（態様Ｎ）
前記態様Ｍにおいて、前記表示面上におけるユーザーの操作位置を検出するタッチパネル１３等の操作位置検出手段を有することを特徴とする。
これによれば、表示面とは別の場所に操作部を設ける必要がなく、又は、表示面とは別の場所に設けられる操作部を小型化できる。
【００８６】
（態様Ｏ）
前記態様Ｎにおいて、前記表示部は、前記撮像部の撮像によって得られる画像が前記表示面に表示されているときの前記操作位置検出手段の検出結果に基づいて、該画像にユーザーが追記した追記画像を重畳させた重畳画像を、前記表示面に表示することを特徴とする。
これによれば、表示部の表示面上に表示されている画像にユーザーが追記した追記画像を重畳させた重畳画像を、表示面上で確認することができる。
【００８７】
（態様Ｐ）
前記態様Ａ〜Ｏのいずれかの態様に係る会議テーブルにおいて、前記撮像部によって得られる画像を記録材上に形成する画像形成部を有することを特徴とする。
これによれば、撮像部が邪魔にならずに保持面の対向空間を有効利用できる画像形成装置を提供できる。
【００８８】
（態様Ｑ）
会議システムにおいて、前記態様Ａ〜Ｐのいずれかの態様に係る会議テーブルと、前記保持面と略同一面となる面を備えたキャビネット４１等の付属物品とが水平方向から互いに連結されることを特徴とする。
これによれば、撮像部が邪魔にならずに保持面の対向空間を有効利用できる会議システムを提供できる。
【符号の説明】
【００８９】
１ 画像形成装置
１０  パネル部
１０Ａ  原稿保持面
１２  表示部
１３  タッチパネル
１４  カメラ部
１５  原稿保持部
１６  メモ用紙束
２０  画像形成部
２０ａ  ヒンジ
２０ｂ  配線接続部
２１  画像形成処理部
２２  給紙部
２３  排紙収納部
２４  露光装置
２５  画像形成ユニット
２６  感光体
２７  中間転写ベルト
２８  二次転写装置
２９  定着装置
３０  下向き原稿スキャナ
３１  コンタクトガラス
３５  原稿押えカバー
３５Ａ  原稿載置面
３６  スキャナ筐体
４１  キャビネット
４２  パーティションパネル
１００  壁面
２００Ａ  表示部ユニット
２００Ｂ  原稿保持ユニット
【先行技術文献】
【特許文献】
【００９０】
【特許文献１】特開２００７−１０４３３９号公報
【図１】
2019017063.tif 000003
【図２】
2019017063.tif 000004
【図３】
2019017063.tif 000005
【図４】
2019017063.tif 000006
【図５】
2019017063.tif 000007
【図６】
2019017063.tif 000008
【図７】
2019017063.tif 000009
【図８】
2019017063.tif 000010
【図９】
2019017063.tif 000011
【図１０】
2019017063.tif 000012
【図１１】
2019017063.tif 000013
【図１２】
2019017063.tif 000014
【図１３】
2019017063.tif 000015
【図１４】
2019017063.tif 000016
【図１５】
2019017063.tif 000017
【図１６】
2019017063.tif 000018
【図１７】
2019017063.tif 000019
【図１８】
2019017063.tif 000020
【図１９】
2019017063.tif 000021
【図２０】
2019017063.tif 000022
【図２１】
2019017063.tif 000023
【図２２】
2019017063.tif 000024
【図２３】
2019017063.tif 000025